(57)【要約】  空気調和機の室外機及び空気調和機において、信号線接続端子と電源線接続端子とを分離し、各信号線接続端子は、対応する室内機の液管又はガス管の接続口に隣接して設け、電源線接続端子は従来どおり端子台に設けた。これより、室外機の配線に誤配線が生じる確率を低減できるものである。
2017175347.tif 000002
【特許請求の範囲】
【請求項１】
複数の室内機の夫々に対し液管とガス管と電源線とを介して接続される空気調和機の室外機であって、
前記複数の室内機の一室内機に接続される液管を接続する液管接続口と、前記一室内機に接続されるガス管を接続するガス管接続口と、前記一室内機に対応した信号が伝達される信号線を接続する信号線接続端子とを１グループとして、前記複数の室内機の夫々に対応した前記グループを複数有する配管接続部と、
前記複数の室内機の夫々に対応した電源線を接続する複数の電源線接続端子を有する端子台と、
前記端子台に近接して配置され当該室外機を制御するものであって、前記複数のグループの信号線接続端子と電気的に接続された制御装置と、を備え、
前記液管接続口と前記ガス管接続口と前記信号線接続端子とがグループごとに集合して配置される、
空気調和機の室外機。
【請求項２】
前記液管及び前記ガス管は金属製であって、
前記信号線は、前記一室内機に接続される導線と前記室外機に接続される導線とを、前記一室内機に接続される前記液管又は前記ガス管に電気的に接触させることによって、前記一室内機に対応した信号を伝達する請求項１に記載の空気調和機の室外機。
【請求項３】
前記複数のグループの夫々において、前記信号線接続端子は、同一のグループの前記液管接続口及び前記ガス管接続口との距離が、他のグループの前記液管接続口及び前記ガス管接続口との距離より短い請求項１又は２に記載の空気調和機の室外機。
【請求項４】
前記複数のグループの夫々において、前記信号線接続端子と前記液管接続口との距離は前記信号線接続端子と前記ガス管接続口との距離より短い請求項１〜３のいずれか一項に記載の空気調和機の室外機。
【請求項５】
前記複数のグループの信号線接続端子と前記制御装置とは前記端子台を経由して接続される請求項１〜４のいずれか一項に記載の空気調和機の室外機。
【請求項６】
前記端子台は前記室外機の筐体の上部に設けられ、前記配管接続部は前記筐体の下部に設けられる請求項１〜５のいずれか一項に記載の空気調和機の室外機。
【請求項７】
複数の室内機と、
前記複数の室内機の夫々に対し液管とガス管と電源線とを介して接続された請求項１〜６のいずれか一項に記載の室外機と、
を備える空気調和機。
【請求項８】
前記液管は液冷媒が流れる金属製の冷媒配管であり、
前記ガス管はガス冷媒が流れる金属製の冷媒配管であり、
前記電源線は、前記複数の室内機の夫々と前記複数の電源線接続端子のうち対応するものとを接続して電源を供給し、
前記信号線は、前記一室内機に接続される導線と前記室外機に接続される導線とを、前記一室内機に接続された前記液管又は前記ガス管に電気的に接触させることによって、前記一室内機に対応した信号を伝達し、
前記複数の室内機のうちの同一の室内機と接続される前記液管、前記ガス管、及び前記信号線は、前記複数のグループのうちの同一のグループの前記ガス管接続口、前記液管接続口、及び前記信号線接続端子に接続される、
請求項７に記載の空気調和機。
【請求項９】
前記信号線は前記液管に設けられたものである、請求項７又は８に記載の空気調和機。
【発明の詳細な説明】
【技術分野】
【０００１】
本発明は、複数の室内機と接続可能な空気調和機の室外機、及び室外機を備える空気調和機に関する。
【背景技術】
【０００２】
一般に、空気調和機において、室外機と室内機とは分離して設置されることが多い。このようにして設置することにより、室内機を小型にすることができるというメリットがある一方で、室外機と室内機との間を配線及び配管で接続する必要が生じる。【０００３】
従来技術として、このような分離型空気調和機において、室内ユニットと室外ユニットの間を接続する信号線を、ガス冷媒配管および液冷媒配管で兼用するものがある。配線スペースの削減および設置工事の簡略化を図り提供される冷媒配管である。このような冷媒配管について、銅管の両端付近に電気的絶縁装置を設け、銅管の両端にフレアナットを取付けフレア加工し、銅管の電気的絶縁装置の内側両端に電源供給用または制御信号の導線を接続し、フレアナット部分を除く全体を断熱材で覆い、導線を断熱材の両端付近から引き出すように構成することにより制御信号用の導線をなくすことができるようにした技術が知られている（特許文献１、２参照）。このような冷媒配管を用いれば、信号線を冷媒配管に結合して室内機と室外機の間に設置できるので配線の本数及び配線に必要なスペースを削減できる。【０００４】
また、マルチ形空気調和機おいて、電気配線の接続端子と配管接続口とを近接させてグループ毎に設ける技術が開示されている（特許文献３参照）。更に、室外ユニットにおいて、電気配線を接続する端子台をインバータボックスから分離して、接続信号線を介して配管接続口まで下げる技術が知られている（特許文献４参照）。
【先行技術文献】
【特許文献】
【０００５】
【特許文献１】特開平６−８１９９６号公報
【特許文献２】特開２００６−３８３９３号公報
【特許文献３】実開昭６１−１８１２７８号公報
【特許文献４】特開平０６−２８８５７８号公報
【発明の概要】
【発明が解決しようとする課題】
【０００６】
従来技術によれば、冷媒配管の銅管を利用することにより配線を省くことができるが、室外機と配線との接続においては、制御信号は冷媒配管から制御信号ケーブルによって再び取出され、冷媒配管とは別に制御信号ケーブルは制御回路に接続される必要がある。例えば文献２では、制御信号ケーブルは冷媒回路とは離隔した制御回路に接続される。そのため、特に、１つの室外機に対して複数の室内機が接続されるマルチ形空気調和機については、室外機と配線とが誤配線されることが課題となっている。誤配線された場合、利用者の要求通りに空調がなされないという問題点がある。また、一般に空気調和機の室外機は、上部に電気品、及び下部に配管接続口が配置されるため、接続作業が行われる際、上部と下部に作業箇所が分かれている事で互いの接続状態を把握しづらく誤配線の一因となる。また、接続される室内機の台数が多くなると、誤配線されていても作業段階で気付きにくく、更に最終的な導通試験時に誤配線に気付いた場合でも、工程の手戻りが発生し接続しなおすのが困難で作業効率が低下するという問題点があった。【０００７】
この発明は、上記のよう課題を解決するためになされたもので、１台の室外機に複数台の室内機が接続される場合において、誤配線が生じにくい空気調和機の室外機及び室外機を備える空気調和機を提供することを目的とする。
【課題を解決するための手段】
【０００８】
本発明に係る空気調和機の室外機は、複数の室内機の夫々に対し液管とガス管と電源線とを介して接続される空気調和機の室外機であって、前記複数の室内機の一室内機に接続される液管を接続する液管接続口と、前記一室内機に接続されるガス管を接続するガス管接続口と、前記一室内機に対応した信号が伝達される信号線を接続する信号線接続端子とを１グループとして、前記複数の室内機の夫々に対応した前記グループを複数有する配管接続部と、前記複数の室内機の夫々に対応した電源線を接続する複数の電源線接続端子を有する端子台と、前記端子台に近接して配置され当該室外機を制御するものであって、前記複数のグループの信号線接続端子と電気的に接続された制御装置と、を備え、前記液管接続口と前記ガス管接続口と前記信号線接続端子とがグループごとに集合して配置されるものである。
【発明の効果】
【０００９】
本発明によれば、室外機において、信号線接続端子と電源線接続端子とが分離され、各信号線接続端子は、対応する室内機の液管及びガス管の接続口に寄せて配管接続部に設けられるため、室外機に対する信号線の接続において誤配線が生じる確立を低減できる。
【図面の簡単な説明】
【００１０】
【図１】実施の形態１に係る空気調和機の全体構成図である。
【図２】実施の形態１に係る内外接続配線の模式図である。
【図３】実施の形態１に係る信号線を示す模式図である。
【図４】実施の形態１に係る室外機の側面模式図である。
【図５】実施の形態２に係る室外機の側面模式図である。
【発明を実施するための形態】
【００１１】
実施の形態１．
本実施の形態では、１台の室外機に複数の室内機が接続されるマルチ形空気調和機について説明する。以下に２台の室内機が接続された場合を例にとって説明する。
【００１２】
図１は、実施の形態１に係る空気調和機１００の全体構成図である。図１において、Ａ室及びＢ室の室内には、それぞれ室内機１が１台ずつ設置されている。それぞれの室内機１には冷媒配管及び電源線が取付けられており、これらの配管等の他端は１台の室外機３に接続されている。以降の説明では、Ａ室の室内機１Ａと室外機３とを接続する配管等を内外接続配線２Ａ、Ｂ室の室内機１Ｂと室外機３とを接続する配管等を内外接続配線２Ｂと称する。
【００１３】
各室内機１には、冷媒配管に接続された絞り装置、利用側熱交換器、及び利用側熱交換器に付設された室内ファン等が設けられている。また、各室内機１は、室内の気温を検知する温度センサー及びリモコンを備え、利用者の希望する温度を設定できるように構成されている。
【００１４】
室外に配置された室外機３には、筐体内に冷媒配管に接続された圧縮機、四方弁、熱源側熱交換器、及び熱源側熱交換器に付設された室外ファン等が設置されている。また室外機３には、圧縮機が収納された機械室の背面側に、冷媒配管等を接続するための配管接続部５が設けられ、機械室の上方の電気品室には制御装置３０が設置されている。また電気品室には、制御装置３０に隣接して電源線を接続するための端子台４が設けられている。制御装置３０は、圧縮機、四方弁、及び室外ファン等の監視制御、並びに室内機１と通信を行っている。制御装置３０は、例えば制御基板やマイコン等から構成される。
【００１５】
図２は、実施の形態１に係る内外接続配線２の模式図である。室内機１Ａの内外接続配線２Ａと室内機１Ｂの内外接続配線２Ｂとは共通した構成であるので、以降の説明において両者を区別しない場合には符号の後のＡ、Ｂを省略し、区別する場合には符号にＡ、Ｂを付す。
【００１６】
冷媒配管は、液冷媒が流れる金属製の液管、及びガス冷媒が流れる金属製のガス管を示す。図２に示すように、各室内機１と室外機３とを接続する内外接続配線２は、電源線６、液管７、及びガス管８が、断熱材９により周囲を覆われた構成となっている。また、各内外接続配線２の両端部は、断熱材９に覆われておらず、電源線６と液管７とガス管８とが、露出した状態となっている。
【００１７】
また、室外機３の配管接続部５には、複数の室内機に対応して複数の液管接続口１０と複数のガス管接続口１１とが設けられている。内外接続配線２の室外機３側では、液管７は接続されている室内機１に対応した液管接続口１０に、ガス管８は接続されている室内機１に対応したガス管接続口１１にそれぞれ接続される。液管７及びガス管８の端部は例えばフレア加工がなされており、フレアナットにより配管接続部５に接続される。
【００１８】
なお、内外接続配線の構成は上記に限定されるものではなく、液管７及びガス管８のみを断熱材９で覆い、電源線６は断熱材９の外側に沿わせて束ねてもよい。同一の室内機１に接続された液管７、ガス管８、及び電源線６が、室内機１から室外機３までの配線経路において束ねられた状態で室外機３付近まで通される構成であればよい。
【００１９】
冷媒配管としては、例えば、一般的に加工性及び耐食性に優れている銅管を用いてもよい。冷媒配管である液管７の両端部には、絶縁装置１２及び導通装置１３が取付けられており、絶縁装置１２の方が、導通装置１３よりも液管７の端部側に取付けられている。導通装置１３には導線で構成される信号線１４が接続されており、室内機１側の導通装置１３に取付けられた信号線１４は室内機１に接続される。また液管７の室外機３側に取付けられた導通装置１３に接続された信号線１４は、室外機３の配管接続部５に複数設けられた信号線接続端子のうち、接続されている室内機に対応する信号線接続端子に接続される。それぞれの信号線接続端子に接続される。図２には、室内機１側の信号線１４を第１信号線１４ａ、室外機３側の信号線１４を第２信号線１４ｂとする。
【００２０】
図３は、実施の形態１に係る信号線１４を示す模式図である。金属製の液管７に絶縁装置１２及び導通装置１３が取付けられることにより、室内機１と室外機３との間の信号の伝達ができるよう構成されている。液管７の両端に取付けられた絶縁装置１２により、液管７の端部と中央部とが絶縁されている。絶縁装置１２は輪形状の絶縁体であり、液管７を管軸方向に分断する形で絶縁を行っている。これより、液管７の中央部は信号の通路となり、液管７の端部は絶縁されて室内機１又は室外機３に接続される。
【００２１】
導通装置１３は、その内径が液管７の外径と略同一の管形状であり、その周面の一部が切り欠かれた断面Ｃ字形の形状をした弾性を有する部材からなる。そして例えば、この切り欠かれた部分を液管７に押し当てることにより、液管７に着脱することが可能な構造となっている。
【００２２】
なお、本実施の形態では信号線１４は液管７に一体化されたものとして記載したが、液管７の代わりにガス管８で代用してもよい。導通装置１３は、例えば合成樹脂等の弾性素材を用いて切り欠きを有する形状に作成されれば、管径サイズの異なる冷媒配管にも対応できる。また一般に、室外機３に、複数の室内機１のそれぞれに対応した液管接続口１０及びガス管接続口１１が設けられた容量帯のマルチ形空気調和機では、液管７はガス管８に比べて管径サイズの種類が少ない。つまり、液管７の方が空気調和機１００の能力に対して適用される配管サイズの変化が緩やかである。そのため、異なる管径のガス管８が使用される異なる空気調和機であっても、同一サイズの液管７が使用されている場合がある。これより、液管７に信号線１４を設けることで、共通仕様の導通装置１３を利用できる頻度が高くなる。信号線１４を液管７に一体化させる場合は、導通装置１３を汎用化し易いという利点がある。
【００２３】
また、導通装置１３の断面Ｃ形状の内周面には内周面導体１５が設けられ、導通装置１３が液管７に取付けられ状態で、内周面導体１５と液管７とが電気的に接触するように構成されている。また、内周面導体１５には、信号線１４が接続されている。なお、導線は、例えば導通装置１３周面の切り欠かれた部分から接続しても良いし、あるいは導通装置１３自体を導体で形成してもよい。信号線１４となる導線が液管７と電気的に接触していればよい。そのように形成することで、信号線１４の冷媒配管への着脱が容易となる。
【００２４】
特に１台の室外機３に対して複数の室内機１が接続される空気調和機１００において、配線の取り違え等が生じた場合、例えば最終的な導通試験時に誤配線を発見した場合であっても導通装置１３を別の冷媒配管に着け換えて手直しが容易にできるため工程の手戻りが抑えられる。これより設置工事の際の作業効率を向上させることができる。
【００２５】
なお、信号は、室外機３及び室内機１のうち送信側の機器に接続された信号線１４から導通装置１３を介して液管７の金属部分に伝わり、更に、受信側の機器の信号線１４に接続された導通装置１３を経由して受信側機器に伝送される。このようにして、２つの導通装置１３の間の冷媒配管と、冷媒配管の両端にそれぞれ接続された２本の信号線１４とによって信号の伝達がなされる。信号とは例えば、室内機１から室外機３へ送信される指令信号であってもよいし、また、指令信号に応じて室外機３の制御装置３０が生成した室内機１内の機器を監視制御する信号などであってもよい。
【００２６】
図４は、実施の形態１に係る室外機３の側面模式図である。図４には、室外機３の上部の電気品室に設けられた端子台４及び制御装置３０と、その下方にある機械室の背面側に設けられた配管接続部５が示される。
【００２７】
本実施の形態では、室外受電の場合を例にとって説明する。端子台４には受電用電源端子１８と、複数の室内機１にそれぞれ対応する電源線接続端子１６が設けられている。受電用電源端子１８は、家屋などに供給される電気を室外機３に取り込むための端子である。受電用電源端子１８は、室外機３の内部において、駆動基板を経由して室外機３内に設置される圧縮機等の各機器、及び各室内機１の電源線接続端子１６にそれぞれ接続されており、接続された機器に対し給電がなされる。
【００２８】
一方、図２で示した室内機１Ａからの電源線６Ａ、及び室内機１Ｂからの電源線６Ｂは、端子台４の複数の電源線接続端子１６のうち、対応する端子に接続される。つまり、電源線６Ａは電源線接続端子１６Ａに接続され、電源線６Ｂは電源線接続端子１６Ｂに接続される。このように接続されることにより、室外機３に取り込まれた電気は、電源線６を介して室内機１へ送電される。
【００２９】
図４において、配管接続部５には、室内機１Ａ用の冷媒配管の接続口として液管接続口１０Ａ及びガス管接続口１１Ａが隣接して設けられ、また、室内機１Ｂ用の冷媒配管の接続口として液管接続口１０Ｂ及びガス管接続口１１Ｂが隣接して設けられている。また、配管接続部５には、室内機１Ａ用の信号線１４の接続端子として信号線接続端子１７Ａが液管接続口１０Ａに隣接して設けられ、室内機１Ｂ用の信号線１４の接続端子として信号線接続端子１７Ｂが液管接続口１０Ｂに隣接して設けられている。
【００３０】
つまり、配管接続部５には、同一の室内機１に対応する液管接続口１０、ガス管接続口１１、及び信号線接続端子１７が１グループとして集合して設けられており、複数の室内機１の夫々に対応するグループは分離して配置されている。また、各グループに識別子を付して、同一の室内機１に対応する液管接続口１０、ガス管接続口１１、及び信号線接続端子１７の近傍に、同一の識別子を付してもよい。
【００３１】
なお、信号線接続端子１７の配置は液管接続口１０に隣接した位置に限定されない。配管接続部５において、信号線接続端子１７と同一グループの液管接続口１０及びガス管接続口１１が識別できればよい。例えば、信号線接続端子１７Ａは、他のグループの液管接続口１０Ｂ及びガス管接続口１１Ｂより、同一グループの液管接続口１０Ａ及びガス管接続口１１Ａに近く設けられてもよい。
【００３２】
配管接続部５の複数の冷媒配管の接続口は、室外機３内部の冷媒配管に接続されている。また、複数の信号線接続端子１７は、夫々、制御装置３０と電気的に接続されており、各室内機１を区別して信号を伝達できるよう構成されている。具体的には、図４に示されるように、信号線接続端子１７Ａ及び信号線接続端子１７Ｂの夫々は、室外機３の内部において、内部信号線２０を介して制御装置３０に接続されている。
【００３３】
次に空気調和機１００の設置について、室内機１Ａを例に説明する。室内機１Ａから室外に通された内外接続配線２Ａには、室外機３側で液管７Ａに導通装置１３が取付けられて液管７Ａから第２信号線１４ｂが分岐される。液管７Ａは配管接続部５の液管接続口１０Ａに、ガス管８Ａは配管接続部５のガス管接続口１１Ａに接続される。また、分岐された第２信号線１４ｂは、液管接続口１０Ａに隣接した信号線接続端子１７Ａに接続される。残りの室内機１の内外接続配線２についても同様に行う。また、電源線６Ａは端子台４の電源線接続端子１６Ａに接続される。残りの室内機１の電源線６についても同様に行う。一般に、配管接続部５等の室外機３の下部での配線接続作業と、端子台４等の室外機３の上部での配線作業とは別工程で行う場合がある。
【００３４】
次に、空気調和機１００の稼動時の信号の伝送経路について説明する。室内のリモコンからの指令信号等に基づき室内機１は室外機３へ信号を送信する。信号は、室内機１側の信号線１４である第１信号線１４ａを通って、液管７の金属部分で伝送され、更に第２信号線１４ｂを通って信号線接続端子１７で室外機３に到達する。更に、信号は信号線接続端子１７から内部信号線２０を経由して制御装置３０に伝達される。
【００３５】
制御装置３０は、受信した信号に基づき制御を行う。具体的には、室外機３に設置された圧縮機等の駆動を制御し、送信元の室内機１に対応した冷媒回路の制御を行う。また、室内機１内の機器等の制御信号を室内機１へ送信する。信号は、制御装置３０から室内機１に対応する内部信号線２０及び信号線接続端子１７を経由して、指令元の室内機１へ伝達される。信号を受信した室内機１では、信号に基づき内部に設置された機器等が制御される。
【００３６】
このように、冷媒配管、電源線６、及び信号線１４等が、対応する室内機１について取り違えられることなく接続されれば、各部屋に応じた適切な空調が提供される。なお、本実施の形態では、液管７と信号線１４とが一体化している場合について記載したが、ガス管８と信号線１４とを一体化させて使用してもよい。この場合、導通装置１３はガス管８に取付け、信号線接続端子１７をガス管接続口１１に隣接して設ければよい。また、既存の室外機に適用する場合には、端子台４に設けられた信号線用の端子は使用しないので、蓋等を設けて塞いでもよい。
【００３７】
以上のように本実施の形態において室外機は、複数の室内機１の夫々に対し液管７とガス管８と電源線６とを介して接続される空気調和機１００の室外機３であって、複数の室内機１の一室内機に接続される液管７を接続する液管接続口１０と、一室内機に接続されるガス管８を接続するガス管接続口１１と、一室内機に対応した信号が伝達される信号線を接続する信号線接続端子１７とを１グループとして、複数の室内機１の夫々に対応したグループを複数有する配管接続部５と、複数の室内機１の夫々に対応した電源線６を接続する複数の電源線接続端子１６を有する端子台４と、端子台４に近接して配置され室外機３を制御するものであって、複数のグループの信号線接続端子１７と電気的に接続された制御装置３０と、を備え、液管接続口１０とガス管接続口１１と信号線接続端子１７とがグループごとに集合して配置されるものである。
【００３８】
これより、信号線接続端子１７は、同一の室内機１に対応する冷媒配管の接続口に隣接して設けられ、更に室外機３の内部において制御装置３０との間で信号を授受する。そのため、各部屋からの配線を室外機３に接続する際、冷媒配管と同一の室内機に接続された信号線１４が、他の室内機に接続された信号線１４と取り違えられることなく、室外機３に接続される。
【００３９】
また、液管７及びガス管８は金属製であって、信号線１４は、一室内機に接続される導線と室外機３に接続される導線とを、一室内機に接続される液管７又はガス管８に電気的に接触させることによって、一室内機に対応した信号を伝達するものであってもよい。
【００４０】
これより、信号線１４は液管７又はガス管８に一体化されて室内から室外へ通されているので、これらの冷媒配管から各配管及び配線が分岐される距離は短い。そのため、配管の接続口において、冷媒配管に対応する信号線１４が容易に区別できる。またもし誤配線が発見された場合に、例えば導線を付け替えて解消でき、修正が容易である。したがって、特にマルチ形空気調和機においては、このような構成により設置工事の作業効率を向上させることができる。
【００４１】
また、複数のグループの夫々において、信号線接続端子１７は、同一のグループの液管接続口１０及びガス管接続口１１との距離が、他のグループの液管接続口１０及びガス管接続口１１との距離より短いものであってもよい。
【００４２】
これより、信号線接続端子１７に対応する液管接続口１０及びガス管接続口１１がどれか判別し易く、誤配線を防止できる。
【００４３】
また、複数のグループの夫々において、信号線接続端子１７と液管接続口１０との距離は信号線接続端子１７とガス管接続口１１との距離より短いものであってもよい。
【００４４】
これより、信号線１４が液管７に一体化されている場合に、信号線１４を信号線接続端子１７に接続し易い。一般に、空気調和機１００の容量帯に応じて適用される管径サイズの変化はガス管８に比べて液管７の方が少ない。そのため、信号線１４を冷媒配管に取付けるための導通装置１３を標準化でき、共通の導通装置１３を利用できる機会が増す。したがって、信号線１４の取付け作業において煩雑さを解消できる。
【００４５】
また、端子台は室外機３の筐体の上部に設けられ、配管接続部５は筐体の下部に設けられるものであってもよい。
【００４６】
これより、電源線接続端子１６と信号線接続端子１７とは分離されて電源線接続端子１６は従来どおり端子台４に設けられるので、冷媒が流れる冷媒配管の近くに電源線６が配置されることがなく漏電のリスクが抑えられる。また、電源線接続端子１６は、冷媒配管及び信号線１４の接続作業が行われる配管接続部５と離れているので、作業中の感電のリスクも回避できる。
【００４７】
また、空気調和機１００は、複数の室内機１と、複数の室内機１の夫々に対し液管７とガス管８と電源線６とを介して接続された室外機３と、を備えるものであってもよい。
【００４８】
これより、誤配線による室外機３の制御エラーが生じる可能性を低減でき、各部屋に快適な空調を提供することができる。
【００４９】
また、空気調和機１００において、液管７は液冷媒が流れる金属製の冷媒配管であり、ガス管８はガス冷媒が流れる金属製の冷媒配管であり、電源線６は、複数の室内機１の夫々と複数の電源線接続端子１６のうち対応するものとを接続して電源を供給し、信号線１４は、一室内機に接続される導線と室外機３に接続される導線とを、一室内機に接続された液管７又はガス管８に電気的に接触させることによって、一室内機に対応した信号を伝達し、複数の室内機１のうちの同一の室内機と接続される液管７、ガス管８、及び信号線１４は、複数のグループのうちの同一のグループのガス管接続口１１、液管接続口１０、及び信号線接続端子１７に接続されるものであってもよい。
【００５０】
これより、設置に必要な作業及び配線スペースが削減されるともに、空気調和機１００は誤配線が抑えられ安定した空調を行うことができる。
【００５１】
また、空気調和機１００の信号線は液管７に設けられてもよい。これより、一般に管径サイズの種類が少ない液管に対して、導通装置１３を準備すればよいので、導通装置１３の仕様を標準化し易い。
【００５２】
実施の形態２．
図５は、実施の形態２に係る室外機３の側面模式図である。図５において、室外機３の上方に設けられた端子台４は、室内機１ごとに対応した領域が区画されている。端子台４には、Ａ室用の領域にＡ室からの電源線６Ａを接続する電源線接続端子１６Ａが、またＢ室用の領域にＢ室からの電源線６Ｂを接続する電源線接続端子１６Ｂが設けられている。また、各領域には夫々、信号端子１９が設けられている。
【００５３】
室外機３の下部に設けられた配管接続部５の信号線接続端子１７と制御装置３０とを接続する内部信号線２０は、その経路の途中で、端子台４の信号端子１９を経由している。具体的には、例えば室内機１Ｂに対応する信号線接続端子１７Ｂ及は内部信号線２０Ｂを介して信号端子１９Ｂに接続されており、信号端子１９Ｂは更に内部信号線２０Ｂを介して制御装置３０に接続されている。
【００５４】
以上のように本実施の形態において室外機は、複数のグループの信号線接続端子１７と制御装置３０とは端子台４を経由して接続されるものであってもよい。これより、従来の室外機３への適用が容易となる。また、室外機３内の既存の信号線の経路を一部利用することができるため、漏電及び感電等の新たなリスクを回避できる。
【符号の説明】
【００５５】
１，１Ａ，１Ｂ  室内機、２，２Ａ，２Ｂ  内外接続配管、３  室外機、４  端子台、５  配管接続部、６，６Ａ，６Ｂ  電源線、７，７Ａ，７Ｂ  液管、８，８Ａ，８Ｂ  ガス管、９  断熱材、１０，１０Ａ，１０Ｂ  液管接続口、１１，１１Ａ，１１Ｂ  ガス管接続口、１２  絶縁装置、１３  導通装置、１４  信号線、１４ａ  第１信号線、１４ｂ  第２信号線、１５  内周面導体、１６，１６Ａ，１６Ｂ  電源線接続端子、１７，１７Ａ，１７Ｂ  信号線接続端子、１８  受電用電源端子、１９，１９Ａ，１９Ｂ  信号端子、２０，２０Ａ，２０Ｂ  内部信号線、３０  制御装置、１００  空気調和機。
【図１】
2017175347.tif 000003
【図２】
2017175347.tif 000004
【図３】
2017175347.tif 000005
【図４】
2017175347.tif 000006
【図５】
2017175347.tif 000007
【手続補正書】
【提出日】平成30年6月28日(2018.6.28)
【手続補正１】
【補正対象書類名】明細書
【補正対象項目名】０００８
【補正方法】変更
【補正の内容】
【０００８】
本発明に係る空気調和機の室外機は、複数の室内機の夫々に対し液管とガス管と電源線とを介して接続される空気調和機の室外機であって、機械室に設けられ、前記複数の室内機の一室内機に接続される液管を接続する液管接続口と、前記一室内機に接続されるガス管を接続するガス管接続口と、前記一室内機に対応した信号が伝達される信号線を接続する信号線接続端子とを１グループとして、前記複数の室内機の夫々に対応した前記グループを複数有する配管接続部と、前記複数の室内機の夫々に対応した電源線を接続する複数の電源線接続端子を有する端子台と、前記端子台に近接し電気品室内に配置され当該室外機を制御するものであって、前記複数のグループの信号線接続端子と電気的に接続された制御装置と、を備え、前記液管接続口と前記ガス管接続口と前記信号線接続端子とがグループごとに集合して配置されるものである。
【手続補正２】
【補正対象書類名】明細書
【補正対象項目名】００１４
【補正方法】変更
【補正の内容】
【００１４】
室外に配置された室外機３には、筐体内に冷媒配管に接続された圧縮機、四方弁、熱源側熱交換器、及び熱源側熱交換器に付設された室外ファン等が設置されている。また室外機３には、圧縮機が収納された機械室３ｂの背面側に、冷媒配管等を接続するための配管接続部５が設けられ、機械室３ｂの上方の電気品室３ａには制御装置３０が設置されている。また電気品室３ａには、制御装置３０に隣接して電源線を接続するための端子台４が設けられている。制御装置３０は、圧縮機、四方弁、及び室外ファン等の監視制御、並びに室内機１と通信を行っている。制御装置３０は、例えば制御基板やマイコン等から構成される。
【手続補正３】
【補正対象書類名】明細書
【補正対象項目名】００２６
【補正方法】変更
【補正の内容】
【００２６】
図４は、実施の形態１に係る室外機３の側面模式図である。図４には、室外機３の上部の電気品室３ａに設けられた端子台４及び制御装置３０と、その下方にある機械室３ｂの背面側に設けられた配管接続部５が示される。
【手続補正４】
【補正対象書類名】明細書
【補正対象項目名】００５５
【補正方法】変更
【補正の内容】
【００５５】
１，１Ａ，１Ｂ  室内機、２，２Ａ，２Ｂ  内外接続配管、３  室外機、３ａ  電気品室、３ｂ  機械室、４  端子台、５  配管接続部、６，６Ａ，６Ｂ  電源線、７，７Ａ，７Ｂ  液管、８，８Ａ，８Ｂ  ガス管、９  断熱材、１０，１０Ａ，１０Ｂ  液管接続口、１１，１１Ａ，１１Ｂ  ガス管接続口、１２  絶縁装置、１３  導通装置、１４  信号線、１４ａ  第１信号線、１４ｂ  第２信号線、１５  内周面導体、１６，１６Ａ，１６Ｂ  電源線接続端子、１７，１７Ａ，１７Ｂ  信号線接続端子、１８  受電用電源端子、１９，１９Ａ，１９Ｂ  信号端子、２０，２０Ａ，２０Ｂ  内部信号線、３０  制御装置、１００  空気調和機。
【手続補正５】
【補正対象書類名】特許請求の範囲
【補正対象項目名】全文
【補正方法】変更
【補正の内容】
【特許請求の範囲】
【請求項１】
複数の室内機の夫々に対し液管とガス管と電源線とを介して接続される空気調和機の室外機であって、
機械室に設けられ、前記複数の室内機の一室内機に接続される液管を接続する液管接続口と、前記一室内機に接続されるガス管を接続するガス管接続口と、前記一室内機に対応した信号が伝達される信号線を接続する信号線接続端子とを１グループとして、前記複数の室内機の夫々に対応した前記グループを複数有する配管接続部と、
前記複数の室内機の夫々に対応した電源線を接続する複数の電源線接続端子を有する端子台と、
前記端子台に近接し電気品室内に配置され当該室外機を制御するものであって、前記複数のグループの信号線接続端子と電気的に接続された制御装置と、を備え、
前記液管接続口と前記ガス管接続口と前記信号線接続端子とがグループごとに集合して配置される、
空気調和機の室外機。
【請求項２】
前記液管及び前記ガス管は金属製であって、
前記信号線は、前記一室内機に接続される導線と前記室外機に接続される導線とを、前記一室内機に接続される前記液管又は前記ガス管に電気的に接触させることによって、前記一室内機に対応した信号を伝達する請求項１に記載の空気調和機の室外機。
【請求項３】
前記複数のグループの夫々において、前記信号線接続端子は、同一のグループの前記液管接続口及び前記ガス管接続口との距離が、他のグループの前記液管接続口及び前記ガス管接続口との距離より短い請求項１又は２に記載の空気調和機の室外機。
【請求項４】
前記複数のグループの夫々において、前記信号線接続端子と前記液管接続口との距離は前記信号線接続端子と前記ガス管接続口との距離より短い請求項１〜３のいずれか一項に記載の空気調和機の室外機。
【請求項５】
前記複数のグループの信号線接続端子と前記制御装置とは前記端子台を経由して接続される請求項１〜４のいずれか一項に記載の空気調和機の室外機。
【請求項６】
前記端子台は前記室外機の筐体の上部に設けられ、前記配管接続部は前記筐体の下部に設けられる請求項１〜５のいずれか一項に記載の空気調和機の室外機。
【請求項７】
複数の室内機と、
前記複数の室内機の夫々に対し液管とガス管と電源線とを介して接続された請求項１〜６のいずれか一項に記載の室外機と、
を備える空気調和機。
【請求項８】
前記液管は液冷媒が流れる金属製の冷媒配管であり、
前記ガス管はガス冷媒が流れる金属製の冷媒配管であり、
前記電源線は、前記複数の室内機の夫々と前記複数の電源線接続端子のうち対応するものとを接続して電源を供給し、
前記信号線は、前記一室内機に接続される導線と前記室外機に接続される導線とを、前記一室内機に接続された前記液管又は前記ガス管に電気的に接触させることによって、前記一室内機に対応した信号を伝達し、
前記複数の室内機のうちの同一の室内機と接続される前記液管、前記ガス管、及び前記信号線は、前記複数のグループのうちの同一のグループの前記ガス管接続口、前記液管接続口、及び前記信号線接続端子に接続される、
請求項７に記載の空気調和機。
【請求項９】
前記信号線は前記液管に設けられたものである、請求項７又は８に記載の空気調和機。
【手続補正６】
【補正対象書類名】図面
【補正対象項目名】図１
【補正方法】変更
【補正の内容】
【図１】
2017175347.tif 000008
【手続補正７】
【補正対象書類名】図面
【補正対象項目名】図４
【補正方法】変更
【補正の内容】
【図４】
2017175347.tif 000009
【手続補正８】
【補正対象書類名】図面
【補正対象項目名】図５
【補正方法】変更
【補正の内容】
【図５】
2017175347.tif 000010
【国際調査報告】
2017175347.tif 000011
2017175347.tif 000012